(57)【要約】      （修正有）【課題】ピンスクリーンを提供する。【解決手段】単位パネル１１１が相互組み立て可能になされて、全体面積を選択的に調整し、磁石が備えられて、組み立て時、前後方向に摺動されて組み立てが解除される問題点を減少させ、組み立てられたスクリーンパネルのフレーム１４０を取り囲むようにシャシーが設けられて、堅固に組み立てられ、外観が美麗なピンスクリーン構造体に関するものであり、ピンスクリーン構造体は、スクリーンパネルと、磁石と、複数本のピンと、フレーム１４０と、を含む。【選択図】図３
2014144204.tif 000002
【特許請求の範囲】
【請求項１】
複数個の孔が貫通した単位パネルが四方から係合式に組み立てられ、間隔保持部材によって離隔されて両側に配されるスクリーンパネルと、
前記各単位パネルのフレームに装着されて、単位パネルが互いに係合式に組み立てられる時、磁力でこれらを密着固定させる磁石と、
前記スクリーンパネルの各孔に往復摺動可能に挿入される複数本のピンと、
前記スクリーンパネルのフレームを取り囲むフレームと、
を含むことを特徴とするピンスクリーン。
【請求項２】
前記磁石は、単位パネル製造時にインサート成形されて、一体型に構成されることを特徴とする請求項１に記載のピンスクリーン。
【請求項３】
前記磁石は、前記単位パネルのフレームに離隔されて形成されたホールに締まりばめ式に設けられることを特徴とする請求項１に記載のピンスクリーン。
【発明の詳細な説明】
【技術分野】
【０００１】
本発明は、ピンスクリーンに係る。さらに詳細には、多数本のピンが差し込まれるそれぞれの単位パネルを四方から互いに係合式に組み立てて、全体面積を選択的に調節可能にし、各単位パネルのフレームに磁石を設置して、この磁石が四方から係合式に組み立てられる隣り合う単位パネルを磁力で密着結束して、スクリーンパネルの組み立てを堅固かつ簡便にするピンスクリーンに関する。
【背景技術】
【０００２】
ピンスクリーンは、一定のサイズの板体を一定間隔離隔して固定し、このそれぞれの板体に多数本のピンを水平に差し込んで、ユーザが所望のピンのみを前後方に押して、所定の形状を表わすものである。その具体的な使用例は、あらゆるピンを一方向に移動させて突設させた後に、子供向け教材の数字や文字を用いて、前記ピンの後方に押せば、それに該当するピンが後方に押されて、数字や文字を前記ピンスクリーンに表示し、同じ方法で、人の手や顔などを前記ピンに密着させて後方に押せば、ピンスクリーンに手や顔の形状が表示されるものである。
【０００３】
このように使われるピンスクリーンは、好奇心の多い子供に興味を持って使わせるために、主に玩具用や教育用としても使われている。スクリーンの面積を大きくして、掲示板や企業の広告用として使うこともできるため、目的によって、その用途を多様化することができる。
【０００４】
このような従来のピンスクリーンは、図１及び図２に示したように、一定サイズに規格化され、その平面にピンＰ設置用の挿入孔１−１が、一定の配列に多数個の通孔した板体１が幾つかの間隔保持部材２で所定間隔離隔し、前記離隔した板体１の外側で間隔保持部材２をスクリューで締結し、次いで、前記両側板体１１に一致するように通孔した挿入孔１−１でピンＰを組み立てた。
【０００５】
ところで、前記ピンスクリーンは、Ｐを収容する板体１１が所定間隔に定型化されて、その面積のサイズを調節することができず、使用中にその面積を広げるか、縮小する場合が発生しても、調節することができない短所があった。
【０００６】
このような問題点を解決するために、本出願人は、実用新案登録第２０−１２５１０２号を開発し、現在は絶賛販売中である。図３ないし図４のように、前記実用新案のピンスクリーン１００は、孔１１１ａが貫通した複数個の単位パネル１１１を四方から係合式に組み立てて、スクリーンパネル１１０の面積を選択的に調節し、前記組み立てられたスクリーンパネル１１０を、間隔保持部材１１２を境界にして、両側に配置した状態で、前記各単位パネル１１１の孔１１１ａにピンを挿入した後、スクリーンパネル１１０のフレームをフレーム１４０で取り囲んで保護した。
【先行技術文献】
【特許文献】
【０００７】
【特許文献１】韓国実用新案登録第２０−１２５１０２号
【０００８】
前記ピンスクリーン１００は、単位パネル１１１の数量を調節して、スクリーンパネル１１０の広さを選択的に調節して、面積が定型化された従来のスクリーンの問題点を簡単に解決した。
【０００９】
しかし、前記ピンスクリーン１００は、それぞれの単位パネル１１１を互いに係合式に組み立てて、スクリーンパネル１１０を製造する初期過程で組み立てられた各単位パネル１１１を結束させるための手段が設けられず、組み立ての最後の段階で、間隔保持部材１１２及びフレーム１４０でのスクリーンパネル１１０の固定時、少しの力が加えられても、組み立てられた単位パネル１１１は結束力がなくて、簡単に分離される現象がよく発生して、ピンスクリーン１００の組み立てがややこしい問題があった。
【発明の概要】
【発明が解決しようとする課題】
【００１０】
本発明は、前記従来のピンスクリーンの諸問題点を解決するために提案されたものである。その目的は、単位パネルを相互係合式に組み立てて、スクリーンパネルの全体面積を選択的に調節可能にし、各単位パネルの四方フレーム部分に装着された磁石が互いに結束されて、組み立て初期段階から組み立てられた単位パネルどうしで互いに結束して組み立てを簡便にできるピンスクリーンを提供することである。
【課題を解決するための手段】
【００１１】
前記目的を果たすための本発明によるピンスクリーンは、複数個の孔が貫通した単位パネルが四方から係合式に組み立てられ、間隔保持部材によって離隔されて両側に配されるスクリーンパネルと、前記各単位パネルのフレームに装着されて、単位パネルが互いに係合式に組み立てられる時、磁力でこれらを密着固定させる磁石と、前記スクリーンパネルの各孔に往復摺動可能に挿入される複数本のピンと、前記スクリーンパネルのフレームを取り囲むフレームと、を含むことを特徴とする。
【００１２】
前記単位パネルは、２辺に結合突起が形成され、残りの２辺に前記結合突起が収容される結合溝が形成されて組み立てられるパネルが、上下左右方向への離脱を防止することを特徴とする。
【００１３】
前記磁石は、パネル射出成形時に一体型になったことを特徴とする。
また、前記磁石は、前記単位パネルのフレームに離隔されて形成されたホールに締まりばめ式に設けられることを特徴とする。
【発明の効果】
【００１４】
本発明によるピンスクリーンは、単位パネルの４辺が波形からなって、四方に結合可能にスクリーンパネルの面積を選択的に調節することができる。
そして、組み立てられた各単位パネルのフレームに磁石が一定間隙をおいて設けられることによって、隣り合う各単位パネルの磁石によって、組み立て初期段階から単位パネルが堅固に結束された状態を保持させるので、ピンスクリーンの組み立てを便利にできる長所がある。
【図面の簡単な説明】
【００１５】
【図１】従来のピンスクリーンの正面図である。
【図２】図１の平断面図である。
【図３】本出願人が先出願した従来のピンスクリーンの概略的な分解斜視図である。
【図４】図３の側断面図である。
【図５】本発明による単位パネルとこの単位パネルに設けられる磁石を示す図である。
【図６】本発明によるピンスクリーンパネルの正面図である。
【図７】本発明によるピンスクリーンの拡大側断面図を示す図である。
【図８】本発明によるピンスクリーンが支持台に設けられた状態を示す図である。
【発明を実施するための形態】
【００１６】
以下、本発明によるピンスクリーンの望ましい実施形態を添付した図面を参照して説明する。
【００１７】
本発明によるピンスクリーン１００は、図３ないし図７に示したように、大きく単位パネル１０ａの組み立てからなるスクリーンパネル１１０と、前記単位パネル１１１のフレームに組み立てられた磁石１２０と、前記単位パネル１１１に往復移動可能に差し込まれるピン１３０と、前記スクリーンパネル１１０を取り囲んで保護するフレーム１４０と、を含む。
【００１８】
前記スクリーンパネル１１０は、前記ピン１３０を収容できるように複数個の孔１１１ａが貫通され、間隔保持部材１１２によって離隔されて両側に配され、互いに四方から係合式に組み立てられた複数個の単位パネル１１１の組み立てで構成される。
前記単位パネル１１１は、互いに係合式に組み立てられるように四角板体状になされ、４辺が波形からなる。また、間隔保持部材１１２によって離隔されて両側に堅固に配されるように、両側面に間隔保持部材１１２の一部が収容される溝１１１ｂが形成される。
前記間隔保持部材１１２は、長方形の板体からなり、両端がそれぞれ両側に配された単位パネル１１１の溝１１１ｂに嵌合されて、単位パネル１１１の間隔を保持する。
一方、前記単位パネル１１１は、図６に示したように、波形からなる２辺に結合突起１１１ｅが形成され、残りの２辺に前記結合突起１１１ｅが収容される結合溝１１１ｄが形成されて組み立てられる単位パネル１１１が上下左右方向への離脱を防止する。
したがって、前記結合突起１１１ｃと結合溝１１１ｄは、単位パネル１１１の４辺に形成された波形の山と谷との中間部分に形成されることが望ましい。
また、図７に示したように、単位パネル１１１に締結孔１１１ｅが形成されて、間隔保持部材１１２によって離隔して位置した両側単位パネル１１１をボルト・ナットを用いて堅固に締結することができる。
【００１９】
前記磁石１２０は、単位パネル１１１の四方フレームに離隔されて設けられて、互いに係合式に組み立てられる単位パネル１１１をボルト・ナットを用いて堅固に締結することができる。
【００２０】
前記磁石１２０は、単位パネル１１１の四方フレームに離隔されて設けられて、互いに係合式に組み立てられる単位パネル１１１をピンスクリーン１００の組み立て初期段階から最後の段階まで堅固に結束して組み立てを便利にするものである。
【００２１】
このような磁石１２０は、単位パネル１１１の射出成形時、一体型に形成され、図３及び図５に示したように、前記単位パネル１１１のフレームに離隔されて形成されたホール１１１ｆに締まりばめ式に設けられることもある。
【００２２】
そして、前記磁石１２０は、図６に示したように、組み立てられる単位パネル１１１の磁石１２０と対応して形成されて、スクリーンパネル１１０が磁力によって組み立て過程で分離されることを防止する。
【００２３】
前記ピン１３０は、前記間隔保持部材１１２によって前後に位置した単位パネル１１１の孔１１１ａからの離脱を防止するように、両端にヘッド１３１が備えられる。
前記ヘッド１３１は、ピン１３０が単位パネル１１１の孔１１１ａに容易に設置されるように、ピン１３０に着脱可能に螺合されることが望ましい（図示せず）。
【００２４】
前記フレーム１４０は、単位パネル１１１を用いて互いに四方から係合式に組み立てられたスクリーンパネル１１０のフレームを取り囲むように、両端が同一方向に折り曲げられた複数個の側板１４１と、前記側板１４１の間に位置する連結具１４２と、前記側板１４１を貫通して連結具１４２に締結される締結ボルト１４３とからなる。
【００２５】
前記本発明によるピンスクリーン１００の組み立て過程を説明すれば、次の通りである。
複数個の単位パネル１１１を必要な数量ほど相互係合式に組み立てて、スクリーンパネル１１０を作り、前記スクリーンパネル１１０を両側に配置する。
【００２６】
そうすると、単位パネル１１１の２辺に形成された結合溝１１１ｄに他の単位パネル１１１の結合突起１１１ｃが収容されて組み立てられた単位パネル１１１が上下左右方向への摺動を防止し、互いに対応して位置する磁石１２０によって組み立てられた単位パネル１１１は、磁石１２０によって堅固に結束されて動かなくなる。
【００２７】
その後、間隔保持部材１１２を用いて両側スクリーンパネル１１０の間隔を保持した後、フレーム１４０を用いてスクリーンパネル１１０のフレームを取り囲んで保護する。
【００２８】
その後、前記それぞれの単位パネル１１１に形成された孔１１１ａにピン１３０が摺動可能に水平に設置する。前記ピン１３０の組み立ては、組み立て過程のうち、如何なる段階で起こっても問題はない。
【００２９】
一方、図８に示したように、別途の支持台２００に本発明によるピンスクリーン１００を設置することができる。
【００３０】
以上、本発明の望ましい実施形態について図示及び説明したが、本発明は、前記実施形態に限定されるものではなく、特許請求の範囲で請求された本発明の要旨を外れずに、当業者ならば、誰でも多様な変形実施が可能であるということはいうまでもなく、そのような変更は、下記特許請求の範囲内で行われる。
【産業上の利用可能性】
【００３１】
本発明は、ピンスクリーン関連の技術分野に利用されうる。
【符号の説明】
【００３２】
１００：ピンスクリーン
１１０：スクリーンパネル
１１１：単位パネル
１２０：磁石
１３０：ピン
１４０：フレーム
【図１】
2014144204.tif 000003
【図２】
2014144204.tif 000004
【図３】
2014144204.tif 000005
【図４】
2014144204.tif 000006
【図５】
2014144204.tif 000007
【図６】
2014144204.tif 000008
【図７】
2014144204.tif 000009
【図８】
2014144204.tif 000010